(57)【特許請求の範囲】
【請求項１】
延長線上に沿って設けられた電極線を各端に有する冷陰極管の各端部を保持し、かつ前記電極線を電気的に接続するための冷陰極管用コネクタであって、
電源側の配線に接続する接続端子を装着し、且つ前記接続端子を外部から目視確認可能にするために一面に開口部を備えた箱形をなすハウジングと、前記開口部を閉塞するように、前記ハウジングに着脱可能に被着するカバーとによりコネクタケースが形成され、
前記ハウジングには、前記冷陰極管の端部を前記開口部側から収容して保持する保持室と、前記冷陰極管の延長線上にコンタクトを配置した前記接続端子を収容する接続室とを形成し、
前記コンタクトには、離間する圧接部を先端側に形成した左右対向状の１対のばね性の可動片を設け、前記冷陰極管の端部を前記保持室内に収容すると前記電極線が前記可動片間へ遊嵌状に挿入できる構成にすると共に、
前記カバーには左右対向状に突出する各作動用突起を設け、当該カバーが前記ハウジングに被着すると、前記作動用突起がコンタクトの各可動片を、テーパ面を介して、外側から押圧し、前記圧接部で前記電極線を狭持して圧接する構成にしたことを特徴とする冷陰極管用コネクタ。
【請求項２】
延長線上に沿って設けられた電極線を各端に有する冷陰極管の各端部を保持し、かつ前記電極線を電気的に接続するための冷陰極管用コネクタであって、
電源側の配線に接続する接続端子を装着し、且つ前記接続端子を外部から目視確認するための窓穴部を有するハウジングと、前記窓穴部を閉塞するように、前記ハウジングに着脱可能に被着するカバーとによりコネクタケースが形成され、
前記ハウジングには、冷陰極管の端部を収容して保持する保持室と、前記冷陰極管の延長線上にコンタクトを配置した接続端子を収容する接続室とを形成し、
前記コンタクトには、離間する圧接部を先端側に形成した左右対向状の１対のばね性の可動片を設け、前記冷陰極管の端部を前記保持室内に収容すると前記電極線が前記可動片間へ遊嵌状に挿入できる構成にすると共に、
前記カバーには左右対向状に突出する各作動用突起を設け、当該カバーが前記ハウジングに被着すると、前記作動用突起がコンタクトの各可動片を、テーパ面を介して、外側から押圧し、前記圧接部で前記電極線を狭持して圧接する構成にしたことを特徴とする冷陰極管用コネクタ。
【請求項３】
前記冷陰極管の端部は、前記保持室側又は前記冷陰極管側に装着したクッション材を介して、弾性的にハウジングに支持される請求項1または２に記載した冷陰極管用コネクタ。
【発明の詳細な説明】
【技術分野】
【０００１】
本発明は、例えば液晶表示装置のバックライトなどに主として使用される冷陰極管（CCFL）に対し、冷陰極管の端部をコネクタで保持すると共に、電極線（ジュメット線などとも言う）をコネクタ内に収容した接続端子のコンタクトに接続し、接続端子を介して電源側と接続するための冷陰極管用コネクタに関する。
【背景技術】
【０００２】
冷陰極管は、同じ蛍光管でも一般照明用の蛍光灯などの熱陰極管に比べると、電極構造が簡単であるから非常に細い形状にすることが可能であり、液晶表示を行う各種電子機器のバックライト（背面照明）として広く利用されているが、一般照明用の蛍光灯などの場合と違って、電極線の径が０．６〜０．８ｍｍ程度で細くて撓み易く且つ、電極線の長さも短くてバラツキもあることなどから、電源側との接続に苦慮していた。
【０００３】
最も簡便な接続方法は、電極線に直接半田付けして接続することであるが、必ずしも均一且つ確実に接続することが困難であること、劣化その他の故障で冷陰極管を交換する際の作業が繁雑であること、特に近年のように液晶表示装置が大型化して多くのバックライトを必要とする場合には、半田付けでは作業能率が悪いことなどの課題があり、その解決手段としてコネクタを用いるようにした先行技術が、例えば特許文献１乃至４などによって提案されている。
【０００４】
【特許文献１】特開２００５−１８３０１１号公報
【特許文献２】特開２００５−２５９３７０号公報
【特許文献３】特開２００５−２９４０１９号公報
【特許文献４】特許第３５６９８４８号公報
【０００５】
これらの先行技術による冷陰極管用コネクタでは、例えば特許文献１の場合には、ハウジング内に収容した接続端子に対し、冷陰極管の電極線をＬ字状に折り曲げて先端側を挿通孔から固定片と弾性片の間に挿入し、ハウジングに枢着したアクチュエータを回転すると、アクチュエータに設けたカム壁が弾性片を押圧して固定片側に電極線を圧接する接続構造を採っており、電源を供給する基板に接続端子の脚片を接続した基板実装タイプに適用される。
【０００６】
特許文献２の場合には、ハウジング内に収容した接続端子に対し、ハウジングに枢着したアクチュエータを回転すると、アクチュエータに設けたカム部が対向する一対の各作動片に接離して開閉させると共に、各作動片と一体に形成した対向する一対の各接点を開閉し、カム部の接合で弾力に抗して押し広げた各接点の間に挿入した冷陰極管の電極線を、カム部の離脱で弾力が復元した各接点が狭持して圧接する接続構造を採っており、電源を供給する基板に接続端子の脚片を接続した基板実装タイプに適用される。
【０００７】
特許文献３の場合には、開閉可能な一対の各接触部を先端側に設けた接続端子をハウジング内に収容し、挿入孔を介してハウジングに挿入した冷陰極管の電極線を各接触部の間へ直交状に圧入させ、拡開した各接触部がハウジングの内壁面から受ける反作用によって、冷陰極管の電極線を各接触部の間で狭持して圧接する接続構造を採っており、接続端子の後端側に設けた圧着部を介して電源を供給するリード線を接続したリード線タイプに適用される。
【０００８】
特許文献４の場合には、冷陰極管の端部とリード線の先端側に対する各保持部を直交状に設けた保持基台と、接続端子を収容して保持基台に対して着脱可能に嵌合する接続ボックスによるコネクタを備え、接続端子にはスリットを挟んで二股状に形成した冷陰極管の電極線を接続する電極用及び、接続端子の先端側を接続するリード線用の各コンタクトを直交状態で一体に形成し、各保持部を介して冷陰極管の端部とリード線の先端側を保持基台上に載置して接続ボックスを嵌合させ、電極線とリード線の芯線を各コンタクトのスリット間で狭持して圧接する接続構造を採っており、電源を供給するリード線を接続したリード線タイプに適用される。
【発明の開示】
【発明が解決しようとする課題】
【０００９】
これらの特許文献を含む先行技術では、例えば特許文献１の場合はコネクタの接続端子に対してＬ字状に折り曲げた電極線の先端側を圧接しているので、電極線を長くする必要があって短いと適用できないこと、Ｌ字状の折り曲げ加工が必要であること、コネクタ及び接続端子の挿通孔を介して電極線の先端側を挿入させるので、電極線の挿入作業が面倒であり且つ挿入中に折れ曲がる恐れもあること、アクチュエータを回転させる構造であるから大型化すること、内部の接続状態を確認できないこと、リード線タイプに適用することが容易でないこと、などの解決を必要とする課題があった。
【００１０】
また、特許文献２の場合はカム部で弾力に抗して各接点の間を押し広げる構造を採るとるために、接続端子の構造が複雑で量産するのが困難であると共に、アクチュエータを回転させる構造によって大型化すること、コネクタの組立が容易ではないこと、リード線タイプに適用することが容易でないこと、などの解決を必要とする課題があった。
【００１１】
また、特許文献３の場合は弾力のある各接触部の間へ電極線を挿入するので大きな挿入力が必要であると共に、電極線が撓み変形して確実に接続できなくなる恐れがあること、内部の接続状態を確認できないこと、基板実装タイプに適用することが容易でないこと、などの解決を必要とする課題があった。
【００１２】
また、特許文献４の場合は電極線とリード線の芯線を２個所へ別々にセットする必要があるので、量産時における組み付け作業が繁雑であり、弾力のある各接触部の間へ電極線とリード線の芯線の双方を同時に挿入するので大きな挿入力が必要であると共に、双方に対して均等に押圧して挿入しないと電極線が撓み変形して確実に接続できなくなる恐れがあること、基板実装タイプに適用することが容易でないこと、などの解決を必要とする課題があった。
【００１３】
そこで本発明では、これら従来技術の課題を解決し得る冷陰極管用コネクタを提供するものであって、特に冷陰極管及び電極線の設置が容易であること、電極線が短かったりバラツキがあっても確実に接続ができること、挿入力が不要で撓み変形することなく容易に接続ができること、コネクタを小型化できること、内部の接続状態を目視確認しながら確実に接続できること、基板実装タイプとリード線タイプの双方に対して容易に適用できること、などを主たる目的とする。
【課題を解決するための手段】
【００１４】
本発明による冷陰極管用コネクタは、電源側の配線に接続する接続端子を装着したハウジングと、ハウジングに着脱可能に被着するカバーでコネクタケースが形成され、ハウジングには冷陰極管の端部を収容して保持する保持室と、冷陰極管の延長線上にコンタクトを配置した接続端子を収容する接続室を隣接板に形成し、コンタクトには離間する圧接部を先端側に形成した左右対向状の各可動片を設け、冷陰極管の端部を保持室内に装着すると電極線が各可動片間へ遊嵌状に挿入できる構成にすると共に、カバーには左右対向状に突出する各作動用突起を設け、ハウジングの開口部に被着するとコンタクトの各可動片を外側から押圧し、圧接部で電極線を狭持して圧接する構成にした。
【００１５】
本発明による冷陰極管用コネクタは、一つの実施形態として、前記冷陰極管の端部は保持室側又は冷陰極管側に装着したクッション材を介して、弾性的にハウジングに支持させた形態を採ることができる。
【００１６】
本発明による冷陰極管用コネクタは、更に、前記ハウジングには保持室及びコンタクトを収容する接続室の一部を、カバーの被着で閉塞する開口部側に露出させて設けると共に、接続室内にはプリント基板に接続する端子脚片を備えた接続端子のコンタクトを、各可動片が開口部側から平面視できる配置で収容し、冷陰極管を開口部側から押し下げると端部を保持室内に装着し且つ、電極線をコンタクトの各可動片間に挿入できる構成にし、各可動片に対する電極線の挿入状態を開口部側から目視確認できる基板実装タイプに適用させた形態を採ることができる。
【００１７】
本発明による冷陰極管用コネクタは、更に、前記ハウジングには冷陰極管が延在する一端側を開口した保持室と、カバーの被着で閉塞する開口部側に露出させた接続室とを直交状に設け、接続室内にはリード線を接続した電線接続片に対してコンタクトを直交状にした接続端子を収容し、各可動片の圧接部を保持室側に向けた状態でコンタクトを配置すると共に、接続室には各可動片を平面視できる位置に切欠状の窓孔部を設け、冷陰極管を一端側の開口から挿入して端部を保持室内に装着し且つ、電極線をコンタクトの各可動片間に挿入できる構成にし、各可動片に対する電極線の挿入状態を窓孔部から目視確認できるリード線タイプに適用させた形態を採ることができる。
【発明の効果】
【００１８】
本発明による冷陰極管用コネクタでは、ハウジングの開口部にカバーを被着すると、カバーに設けた各作動用突起がコンタクトの各可動片を外側から押圧し、各可動片間へ遊嵌状に挿入した電極線を圧接部で狭持して圧接する構造を採り、この圧接部は冷陰極管の端部と隣接した位置に設けることができると共に、カバーはハウジングの開口部に宛がって水平に押圧するだけで被着することができる。
【００１９】
従って、ハウジングに冷陰極管の端部を装着する際における電極線には、コンタクトに対する挿入力が不要であるから、撓み変形することがなくて確実に装着することが可能であること、また圧接部を冷陰極管の端部と隣接した位置に設けることによって、電極線の長さが短かったりバラツキがあっても確実に接続ができること、さらにカバーを押圧する簡単な操作で容易且つ確実に電極線を圧接ができると共に、カバー装着のために広いスペースを必要としないこと、コネクタ全体を小型化できるなどの効果を期待できる。
【００２０】
また、本発明による冷陰極管用コネクタは、クッション材の装着が容易であると共に、クッション材によって冷陰極管を安全に係止保持することが可能である。
【００２１】
また、本発明による冷陰極管用コネクタでは、保持室及び接続室の一部を開口部側に露出させて設けることによって、冷陰極管を開口部側から押し下げると端部を保持室内に装着し且つ、電極線をコンタクトの各可動片間に挿入できるので、ハウジングに対する冷陰極管の装着作業を容易且つ確実に行うことができると共に、開口部を介して電極線の挿入状態を容易に目視確認した状態でカバーの被着作業を行うことができる。
【００２２】
また、本発明による冷陰極管用コネクタでは、冷陰極管を一端側の開口から挿入して端部を保持室内に装着し且つ、電極線をコンタクトの各可動片間に挿入できるので、ハウジングに対する冷陰極管の装着作業を容易且つ確実に行うことができると共に、窓穴部を介して電極線の挿入状態を容易に目視確認した状態でカバーの被着作業を行うことができる。
【実施例】
【００２３】
本発明の冷陰極管用コネクタについて、本発明を適用した好適な実施形態を示す添付図面に基づいて詳細に説明するが、図１〜６は接続端子をプリント基板に接続する基板実装タイプに適用した第１の実施形態を示し、図７〜８は基板実装タイプに適用した第１の実施形態の変形例を示し、図９〜１３は接続端子をリード線に接続するリード線タイプに適用した第２の実施形態を示し、図１４〜１６はリード線タイプに適用した第２の実施形態の変形例を示す。
【００２４】
第１の実施形態に付いて説明すると、図１は基板に実装したカバー装着前の冷陰極管用コネクタ１の斜視図を示し、図２はカバー装着した状態で、（ａ）は平面図を（ｂ）は側面図を示し、図３は内蔵する接続端子の斜視図を示し、図４は図２の断面図であって、（ａ）はI-I線に沿った断面図を（ｂ）はII-II線に沿った断面図を示し、図５は図２の断面図であって、（ａ）はIII-III線に沿った断面図を（ｂ）はIV-IV線に沿った断面図を示し、図６はカバー装着前の平面図を示す。
【００２５】
冷陰極管用コネクタ１は、一面を開口させた方形の箱形に樹脂成形したハウジング２とカバー３を、着脱可能に嵌合してコネクタケースが構成され、ハウジング２内には冷陰極管５の電極線６と電源側を接続する接続端子４を設け、電源を供給する配線を施したプリント基板７上に装着すると共に、冷陰極管５の端部を保持するように構成されており、ハウジング２にカバー３を被着することによって、接続端子４のコンタクト８が電極線６を狭持して圧接するようにしている。
【００２６】
コネクタケースは、ハウジング２内にＹ字状の切欠溝９ａを形成した仕切り板９を設け、一方側に形成した保持室にはシリコンゴムなどを用いたクッション材１０を収容し、冷陰極管５の端部を弾性的に保持すると共に、他方側に設けた接続室には冷陰極管５の端部から切欠溝９ａを介して突出した電極線６と接続する接続端子４を装着し、ハウジング２の両側外面にはカバー３を着脱可能に係止するくさび状の係止受け片１１を設け、合成樹脂材で一体成形されている。
【００２７】
また、カバー３はハウジング２の外壁を取り囲む態様で嵌合して被着される箱形に形成され、先端側の内面をテーパ面１２ａに形成して左右対向状に突出する各作動用突起１２，１２を、接続室に被着される側の内底面に設けると共に、各作動用突起１２，１２の間には案内板１３を設け、当該作動用突起１２と案内板１３が仕切り板９に沿って摺動できるようにし、保持室側の壁面には冷陰極管５を逃げる切欠溝１４を設け、カバー３の両側内面にはハウジング２の係止受け片１１に係止するフック状の係止片１５を設け、合成樹脂材で一体成形されている。
【００２８】
接続端子４は、ハウジング２に圧入状態で装着する固定部１６ａの両側に安定板１６ｂを設けた接続板１６と、接続板１６から垂設してプリント基板７に半田付けで接続する端子脚片１７と、接続板１６上に起立させたコンタクト８を、ばね性のある金属薄板でによって一体に形成させ、コンタクト８は起立片１８の先端側を左右対向状に折り曲げ加工した各可動片１９，１９とし、可動片１９には内側に折り曲げてテーパ状の案内片１９ａを形成すると共に、可動片１９の先端側には内側に折り曲げた圧接部１９ｂを形成するが、各圧接部１９ｂの間は電極線６を遊嵌できる状態に離間している。
【００２９】
以上の構成による冷陰極管用コネクタ１は、接続室内に接続端子４を装着したハウジング２を、端子脚片１７を介してプリント基板７上に取付け、保持室内には冷陰極管５の端部をクッション材１０に上方から圧入して保持すると共に、端部から突出した電極線６は基部側を仕切り板９の切欠溝９ａに挿入し、先端側をコンタクト８の各圧接部１９ｂの間に遊嵌させ、圧接部１９ｂと電極線６の装着状態を接続室の上方から目視確認した後に、ハウジング２に対して上方からカバー３を被着する。
【００３０】
カバー３を被着すると、作動用突起１２の先端内側に形成したテーパ面１２ａが、コンタクト８に形成したテーパ状の案内片１９ａに突き当たり、各可動片１９を内側に撓ませながら挿入され、作動用突起１２は外側を内壁面に支圧された状態で接続室内に収容されるので、先端側の各圧接部１９ｂによって電極線６を圧接状態で狭持し、電極線６を接続端子４に接続することができると共に、この接続状態はハウジング２とカバー３に係止保持手段として設けた係止片１５が係止受け片１１に係止して保持することができる。
【００３１】
次に、第１の実施形態の変形例を図７〜８で説明すると、図７は図１と同様にカバー装着前の基板に実装した冷陰極管用コネクタ１Ａの斜視図を示し、図８は図４と同様の断面図であって、（ａ）は縦断面図を（ｂ）は横断面図を示すが、この変形例は第１の実施形態では予めハウジング２側に装着していたクッション材１０に代え、予め冷陰極管５の端部に被着する実施形態であり、その他の構造は第１の実施形態と変わらないので、同様の部品には同じ符号を付して詳細な説明は省略する。
【００３２】
冷陰極管用コネクタ１Ａは、ハウジング２Ａとカバー３Ａでコネクタケースを構成し、ハウジング２内には冷陰極管５の電極線６と電源側を接続する接続端子４を設け、電源を供給する配線を施したプリント基板７上に装着すると共に、冷陰極管５の端部を保持するように構成されており、ハウジング２Ａにカバー３Ａを被着することによって、接続端子４のコンタクト８が電極線６を狭持して圧接するようにしている。
【００３３】
第１の実施形態では、ハウジング２Ａの保持室にクッション材１０を装着するために、ハウジング２は保持室側をリップ溝形に形成して保持していたが、この変形例では冷陰極管５の端部に割り溝を設けた円筒状のクッション材２０を被着するために、ハウジング２Ａの保持室側をＵ字状溝形に形成すると共に、カバー３Ａにはクッション材２０に対する押さえ突起２１を設けた構造とし、ハウジング２Ａとカバー３Ａのその他の構造は第１の実施形態の場合と同様である。
【００３４】
以上の構成による変形例の冷陰極管用コネクタ１Ａは、ハウジング２Ａの保持室に対して、予め円筒状のクッション材２０を外周に被着した冷陰極管５の端部を上方から圧入して保持すると共に、端部から突出した電極線６は基部側を仕切り板９の切欠溝９ａに挿入し、先端側をコンタクト８の各圧接部１９ｂの間に遊嵌させ、圧接部１９ｂと電極線６の装着状態を接続室の上方から目視確認した後に、ハウジング２Ａに対して上方からカバー３Ａを被着する。
【００３５】
この変形例の冷陰極管用コネクタ１Ａは、第１の実施形態による冷陰極管用コネクタ１の場合に比べると、クッション材２０をハウジング２Ａ側に装着しないので、ハウジング２Ａの構造が簡単になって成形用金型を安価にすることができると共に、クッション材２０を組み込むための設備が不要になることなどの利点がある反面、クッション材２０を冷陰極管５の端部外周に被着する作業が必要であるなどの難点がある。
【００３６】
次に、接続端子をリード線に接続するリード線タイプに適用した第２の実施形態を説明すると、図９はリード線に接続したカバー装着前の冷陰極管用コネクタ２２の斜視図を示し、図１０は同じく平面図を示し、図１１はカバー２４の斜視図を示し、図１２は予めリード線２５を接続した接続端子２６の斜視図を示し、図１３はカバー装着した状態の断面で（ａ）は縦断面図を（ｂ）は横断面図を示す。
【００３７】
冷陰極管用コネクタ２２は、第１の実施形態の場合と同様に、ハウジング２３及びハウジング２３と着脱可能に被着するカバー２４でコネクタケースを構成し、ハウジング２３内には冷陰極管５の電極線６と電源側の配線を接続する接続端子２６を設け、接続端子２６には電源を供給するリード線２５を接続すると共に、コネクタケースで冷陰極管５の端部を保持するように構成され、ハウジング２３にカバー２４を被着すると、接続端子２６のコンタクト２７が電極線６を狭持して圧接するようにしている。
【００３８】
コネクタケースは、ハウジング２３が冷陰極管５の端部を保持する保持室と接続端子２６を装着する接続室を、直交状に配置したＬ字状で一面を開口させた方形の箱形に樹脂成形して形成し、保持室と接続室の間には第１の実施形態の場合と同様に仕切り板２８を設けると共に、仕切り板２８には電極線６を挿通させるテーパ状の挿通孔２８ａを設け、保持室にはクッション材２９を収容すると共に、接続室には冷陰極管５の延長線上にコンタクト２７を配置する態様でリード線２５付きの接続端子２６を装着する。
【００３９】
また、ハウジング２３には接続室のコンタクト２７に対する電極線６の接続状態を目視確認する窓穴部３０と、リード線２５を引き出すＵ字状の切欠部３１を接続室の両側壁面に設け、接続室の中間部にはコンタクト２７に対する押さえ板３２を設けると共に、カバー２４を着脱可能に係止保持する係止受け片３３と、係止受け片３３に案内し且つ係止受け片３３を保護する案内受け片３４を保持室の両側壁面に設けている。
【００４０】
カバー２４は、接続室の開口部を閉塞し得るコ字状の接続側壁面３５と、保持室の開口部を閉塞し得る平板状の保持側壁面３６を一体に形成し、保持側壁面３６から張り出した狭持板３６ａと接続側壁面３５から張り出した狭持板３５ａを平行状に形成すると共に、各張出部３６ａと張出部３５ａの間には係止片３７を設け、接続側壁面３５には先端側をテーパ面３８ａに形成して左右対向状に突出する各作動用突起３８，３８を内壁面に設けている。
【００４１】
接続端子２６は、ハウジング２３に装着するコ字状に形成した接続板３９と、接続板３９にリード線２５を接続する電線接続片４０と、接続板３９に電極線６を接続するコンタクト２７が、ばね性のある金属薄板で一体形成され、コンタクト２７は電線接続片４０の先端側をコ字状に折り曲げ加工した各可動片４１，４１を備え、可動片４１の先端側には内側に折り曲げた圧接部４１ａを形成し、各圧接部４１ａの間は電極線６を遊嵌できる状態に離間させると共に、接続板３９には圧接部４１ａに電極線６を挿通する挿通孔３９ａと、圧接部４１ａを外部から目視確認する窓穴部３９ｂが設けられている。
【００４２】
以上の構成による冷陰極管用コネクタ２２は、ハウジング２３の接続室内にリード線２５付きの接続端子２６を装着すると共に、保持室内のクッション材２９に冷陰極管５の端部を水平方向から圧入して保持させると、端部から突出した電極線６が仕切り板２８の挿通孔２８ａを介してコンタクト２７の各可動片４１，４１間に挿入されるので、各可動片４１，４１の圧接部４１ａに対する電極線６の装着状態を接続室の上方から目視確認した後に、ハウジング２３に対して上方からカバー２４を被着する。
【００４３】
カバー２４を被着すると、作動用突起３８の先端側に形成したテーパ面３８ａが、コンタクト８に形成した各可動片４１，４１に突き当たり、各可動片４１を内側に撓ませながら作動用突起３８は接続室内に収容されるので、先端側の各圧接部４１ａ，４１ａによって電極線６を圧接状態で狭持し、電極線６を接続端子２６に接続することができると共に、この接続状態はハウジング２３とカバー２４に係止保持手段として設けた係止片３７が係止受け片３３に係止して保持することができる。
【００４４】
次に、第２の実施形態の変形例を図１４〜１６で説明すると、図１４は図１２と同様に予めリード線２５を接続した接続端子２６の斜視図を示し、図１５は図１３と同様にカバー装着した状態の断面で（ａ）は縦断面図を（ｂ）は横断面図を示し、図１６は図１０と同様にリード線に接続したカバー装着前の冷陰極管用コネクタ２２Ａの側面図を示すが、この変形例は第２の実施形態では電極線６の装着状態を接続室の上方から目視確認したのに対し、左右の両側から目視確認できる実施形態であり、第２の実施形態と同様の部品には同じ符号を付して詳細な説明は省略する。
【００４５】
冷陰極管用コネクタ２２Ａは、第２の実施形態の場合と同様に、ハウジング２３Ａ及びハウジング２３Ａと着脱可能に被着するカバー２４Ａでコネクタケースを構成し、ハウジング２３Ａ内には冷陰極管５の電極線６と電源側を接続する接続端子２６Ａを設け、接続端子２６Ａには電源を供給するリード線２５を接続すると共に、コネクタケースで冷陰極管５の端部を保持するように構成され、ハウジング２３Ａにカバー２４Ａを被着すると、接続端子２６Ａのコンタクト２７Ａが電極線６を狭持して圧接するようにしている。
【００４６】
この変形例では、特に電極線６の装着状態をハウジング２３Ａの左右の両側から目視確認できるようにするために、リード線２５付きの接続端子２６Ａを用いているが、接続端子２６Ａはハウジング２３Ａに装着するコ字状に形成した接続板４２と、接続板４２にリード線２５を接続する電線接続片４３と、接続板４２に電極線６を接続するコンタクト２７Ａが、ばね性のある金属薄板で一体形成されている。
【００４７】
コンタクト２７Ａは、電線接続片４３の先端側をコ字状に折り曲げ加工した各可動片４４，４４を備え、可動片４４の先端側には内側に折り曲げた圧接部４４ａを形成し、各圧接部４４ａの間は電極線６を遊嵌できる状態に離間させると共に、接続板４２には圧接部４４ａに電極線６を挿通する挿通孔４２ａと、圧接部４４ａを外部から目視確認する窓穴部４２ｂ，４２ｂが設けられている。
【００４８】
ハウジング２３Ａは、仕切り板２８の一方側に設けた保持室にクッション材２９を装着し、冷陰極管５の端部を保持すると共に、他方側に設けた接続室に接続端子２６Ａのコンタクト２７Ａを装着し、挿通孔２８ａを介して各可動片４４の圧接部４４ａ，４４ａ間に電極線６を挿入する構造は第２の実施形態と同様であるが、第２の実施形態では図面上で左右の両側面に設けた係止受け片３７を、この変形例では図面上で上面側に設けて下面側は省略すると共に、窓穴部４２ｂ，４２ｂを介して電極線６の挿入状態を両側から目視確認できるように、切欠状の監視窓４５が設けられている。
【００４９】
カバー２４Ａは、第２の実施形態の場合と同様に接続室の開口部を閉塞する接続側壁面３６から各作動用突起３８，３８を突出させ、被着時にコンタクト２７Ａの各可動片４４，４４を押圧することによって、各圧接部４４ａの間で電極線６を狭持して圧接する構造を採るが、係止片３３に係止保持して電極線６に対するコンタクト２７Ａの圧接状態による接続を維持する係止受け片３７は、この変形例では図面上で上面側に設けている。
【図面の簡単な説明】
【００５０】
【図１】本発明を適用した第１の実施形態であって、接続端子をプリント基板に接続する基板実装タイプで、基板に実装したカバー装着前の冷陰極管用コネクタの斜視図を示す。
【図２】図１にカバー装着した状態であって、（ａ）は平面図を（ｂ）は側面図を示す。
【図３】図１の冷陰極管用コネクタに内蔵する接続端子の斜視図を示す。
【図４】図２の断面図であって、（ａ）はI-I線に沿った断面図を（ｂ）はII-II線に沿った断面図を示す。
【図５】図２の断面図であって、（ａ）はIII-III線に沿った断面図を（ｂ）はIV-IV線に沿った断面図を示す。
【図６】第１の実施形態による冷陰極管用コネクタのカバー装着前の平面図を示す。
【図７】第１の実施形態の変形例であって、図１と同様にカバー装着前の基板に実装した冷陰極管用コネクタの斜視図を示す。
【図８】図４と同様の断面図であって、（ａ）は縦断面図を（ｂ）は横断面図を示す。
【図９】本発明を適用した第２の実施形態であって、接続端子をリード線に接続するリード線タイプで、リード線に接続したカバー装着前の冷陰極管用コネクタの斜視図を示す。
【図１０】図９の平面図を示す。
【図１１】図９に被着されるカバーの斜視図を示す。
【図１２】図９の冷陰極管用コネクタに内蔵するリード線付き接続端子の斜視図を示す。
【図１３】図９にカバー装着した状態の断面図であって、（ａ）は縦断面図を（ｂ）は横断面図を示す。
【図１４】第２の実施形態の変形例であって、冷陰極管用コネクタに内蔵するリード線付き接続端子の斜視図を示す。
【図１５】図１３と同様にカバー装着した状態の断面図であって、（ａ）は縦断面図を（ｂ）は横断面図を示す。
【図１６】図１０と同様にカバー装着前の側面図を示す。
【符号の説明】
【００５１】
１，１Ａ，２２，２２Ａ  冷陰極管用コネクタ
２，２Ａ，２３，２３Ａ  ハウジング
３，３Ａ，２４，２４Ａ  カバー
４，２６  接続端子
５  冷陰極管
６  電極線
７  プリント基板
８，２７  コンタクト
９，２８  仕切り板
９ａ  切欠溝
２８ａ  挿通孔
１０，２０，２９  クッション材
１１，３３  係止受け片
１２，３８  作動用突起
１２ａ，３８ａ  テーパ面
１３  案内板
１４  切欠溝
１５，３７  係止片
１６，３９，４２  接続板
３９ａ  挿通孔
３９ｂ  窓穴部
１７  端子脚片
１８  起立片
１９，４１，４４  可動片
１９ａ  案内片
１９ｂ，４１ａ，４４ａ  圧接部
２１  押さえ突起
２５  リード線
３０  窓穴部
３１  切欠部
３２  押さえ板
３４  案内受け片
３５  接続側壁面
３５ａ  狭持板
３６  保持側壁面
３６ａ  張出部
４０，４３  電線接続片
４５  監視窓
【図１】
0004753705.tif 000002
【図２】
0004753705.tif 000003
【図３】
0004753705.tif 000004
【図４】
0004753705.tif 000005
【図５】
0004753705.tif 000006
【図６】
0004753705.tif 000007
【図７】
0004753705.tif 000008
【図８】
0004753705.tif 000009
【図９】
0004753705.tif 000010
【図１０】
0004753705.tif 000011
【図１１】
0004753705.tif 000012
【図１２】
0004753705.tif 000013
【図１３】
0004753705.tif 000014
【図１４】
0004753705.tif 000015
【図１５】
0004753705.tif 000016
【図１６】
0004753705.tif 000017